(57)【特許請求の範囲】
【請求項１】
隣り合うバッテリセルの電極同士を接続する、１枚の金属板からなるバスバであって、
互いに間隔をあけた一対の電極接続部と、
前記一対の電極接続部同士を連結した連結部と、が設けられ、
前記連結部が、前記一対の電極接続部各々の互いに離れた側の縁部に連なっているとともに、該縁部との連結部分がＵ字状に屈曲しており、
前記電極接続部には、電極挿通孔が設けられ、
前記連結部が、前記電極挿通孔に対して、前記電極接続部の板厚方向に重ならない位置に配置されている
ことを特徴とするバスバ。
【請求項２】
前記連結部の前記連結部分以外の部分が、波状に屈曲している
ことを特徴とする請求項１に記載のバスバ。
【請求項３】
前記連結部が、前記一対の電極接続部の並び方向に延びたスリットを有している
ことを特徴とする請求項１または請求項２に記載のバスバ。
【請求項４】
前記電極接続部が、平らな板の中央に前記電極挿通孔が形成されてなり、
前記連結部が一対設けられている
ことを特徴とする請求項１ないし請求項３のうちいずれか１項に記載のバスバ。
【発明の詳細な説明】
【技術分野】
【０００１】
本発明は、隣り合うバッテリセルの電極同士を接続するバスバに関するものである。
【背景技術】
【０００２】
図４は、従来のバスバ及びバッテリセルの電極接続構造を説明する説明図である（特許文献１を参照。）。図中の符号２２１，２２２は、バッテリ装置を構成するバッテリセルであり、符号２３１は、バッテリセル２２１，２２２のネジ状の電極２２３，２２４を電気的に接続するバスバである。
【０００３】
上記バスバ２３１は、銅等の金属の素線を帯状に編んだ可撓性接続部２３２と、この可撓性接続部２３２の両端をかしめた一対の端子部２３４と、で構成されている。端子部２３４には、電極２２３，２２４が通される電極挿通孔２３５が形成されている。
【０００４】
上記バッテリセル２２１，２２２は、各電極２２３，２２４がバスバ２３１の各端子部２３４の電極挿通孔２３５に通され、これら各電極２２３，２２４にワッシャ２２６及びナット２２５が螺合されることにより、バスバ２３１を介して電気的に接続される。また、バスバ２３１は、バッテリセル２２１，２２２間の位置ずれを可撓性接続部２３２により吸収する。
【先行技術文献】
【特許文献】
【０００５】
【特許文献１】特開平１１−６７１８４号公報
【発明の概要】
【発明が解決しようとする課題】
【０００６】
上述したバスバ２３１は、バッテリセル２２１，２２２間の位置ずれを可撓性接続部２３２により吸収することができるものの、製造工程が煩雑で部品コストが高いという問題があった。
【０００７】
そこで、本発明は、上記のような問題点に着目し、１枚の金属板から容易に形成することができ、バッテリセル間の位置ずれを吸収することができるバスバを提供することを目的とする。
【課題を解決するための手段】
【０００８】
上記目的を達成するために請求項１に記載された発明は、隣り合うバッテリセルの電極同士を接続する、１枚の金属板からなるバスバであって、互いに間隔をあけた一対の電極接続部と、前記一対の電極接続部同士を連結した連結部と、が設けられ、前記連結部が、前記一対の電極接続部各々の互いに離れた側の縁部に連なっているとともに、該縁部との連結部分がＵ字状に屈曲しており、前記電極接続部には、電極挿通孔が設けられ、前記連結部が、前記電極挿通孔に対して、前記電極接続部の板厚方向に重ならない位置に配置されていることを特徴とするバスバである。
【０００９】
請求項２に記載された発明は、請求項１に記載された発明において、前記連結部の前記連結部分以外の部分が、波状に屈曲していることを特徴とするものである。
【００１０】
請求項３に記載された発明は、請求項１または請求項２に記載された発明において、前記連結部が、前記一対の電極接続部の並び方向に延びたスリットを有していることを特徴とするものである。
【００１１】
請求項４に記載された発明は、請求項１ないし請求項３のうちいずれか１項に記載された発明において、前記電極接続部が、平らな板の中央に前記電極挿通孔が形成されてなり、前記連結部が一対設けられていることを特徴とするものである。
【発明の効果】
【００１２】
請求項１に記載された発明によれば、互いに間隔をあけた一対の電極接続部と、前記一対の電極接続部同士を連結した連結部と、が設けられ、前記連結部が、前記一対の電極接続部各々の互いに離れた側の縁部に連なっているとともに、該縁部との連結部分がＵ字状に曲げられているので、１枚の金属板から容易に形成することができ、バッテリセル間の位置ずれを吸収することができるバスバを提供することができる。
【００１３】
請求項２に記載された発明によれば、前記連結部の前記連結部分以外の部分が、波状に曲げられているので、バッテリセル間の位置ずれをさらに吸収することができるバスバを提供することができる。
【００１４】
請求項３に記載された発明によれば、前記連結部に、前記一対の電極接続部の並び方向に延びたスリットが形成されているので、バッテリセル間の位置ずれをさらに吸収することができるバスバを提供することができる。
【００１５】
請求項４に記載された発明によれば、前記電極接続部が、平らな板の中央に電極挿通孔が形成されてなり、前記連結部が一対設けられているので、電極への取り付け作業を容易に行うことができ、省スペースなバスバを提供することができる。
【図面の簡単な説明】
【００１６】
【図１】本発明の一実施の形態にかかるバスバを示す斜視図である。
【図２】図１に示されたバスバの側面図である。
【図３】図１に示されたバスバがバッテリセルの電極同士を接続した状態を示す斜視図である。
【図４】従来のバスバ及びバッテリセルの電極接続構造を説明する説明図である。
【発明を実施するための形態】
【００１７】
本発明の一実施の形態にかかるバスバを、図１ないし図３を参照して説明する。
【００１８】
図１〜３に示す本発明のバスバ１は、隣り合うバッテリセル６の電極７同士を電気的に接続する部品であり、１枚の金属板にプレス加工等が施されることにより得られるものである。また、図３に示すバッテリセル６は、電気自動車などに搭載されるバッテリ装置を構成するものである。
【００１９】
上記バスバ１には、互いに間隔をあけた一対の電極接続部２と、一対の電極接続部２同士を連結した連結部４と、が設けられている。また、本実施形態のバスバ１には、連結部４が一対設けられている。これら一対の連結部４は、一対の電極接続部２の並び方向と交差する方向に間隔をあけて配置されている。
【００２０】
上記電極接続部２は、平らな板の中央に電極挿通孔３が形成された構成となっている。また、一対の電極接続部２は、同一平面上に配置されている。
【００２１】
上記連結部４は、帯状に形成され、一対の電極接続部２各々の互いに離れた側の縁部に連なっているとともに、該縁部との連結部分４０がＵ字状に曲げられている。また、連結部４の連結部分４０以外の部分４１は、波状に曲げられている。さらに、連結部４には、一対の電極接続部２の並び方向に延びたスリット５が形成されている。
【００２２】
また、一対の連結部４は、上記電極挿通孔３と、電極接続部２の板厚方向に重ならない位置に配置されている。すなわち、一対の連結部４は、電極挿通孔３に通された電極７を互いの間に位置付ける位置に配置されている。
【００２３】
上記構成のバスバ１は、各電極接続部２の電極挿通孔３内に隣り合うバッテリセル６の電極７をそれぞれ位置付け、該電極７にナット８が螺合されることにより、隣り合うバッテリセル６同士を電気的に接続する。また、これらバッテリセル６間に位置ずれが生じている場合は、連結部４が変形することにより、前記位置ずれを吸収する。
【００２４】
また、上記バスバ１は、連結部４の長さが長い程位置ずれ吸収効果が大きくなる。すなわち、連結部４における連結部分４０の曲率が小さくなる程位置ずれ吸収効果が大きくなり、波状に曲げられた部分４１のウェーブの落差が大きくなる程位置ずれ吸収効果が大きくなる。また、バスバ１は、板厚が薄くなる程位置ずれ吸収効果が大きくなり、連結部４の幅が小さくなる程位置ずれ吸収効果が大きくなる。このことから、本発明では、連結部４を互いに間隔をあけて一対設けることにより、各連結部４の幅を小さくしている。さらに、各連結部４にスリット５を形成することにより、連結部４を変形し易くしている。
【００２５】
また、上記バスバ１は、上述したように、一対の連結部４と電極挿通孔３とが電極接続部２の板厚方向に重ならない位置に配置されているので、電極７への取り付け作業を容易に行うことができる。さらに、バスバ１は、一対の連結部４が電極７の両側に位置することになるので、電極７の高さ方向にかさばることがなく、バッテリ装置を大型化させることがない。
【００２６】
このように、本発明によれば、１枚の金属板から容易に形成することができ、バッテリセル６間の位置ずれを十分に吸収することができるバスバ１を提供することができる。
【００２７】
なお、前述した実施形態は本発明の代表的な形態を示したに過ぎず、本発明は、実施形態に限定されるものではない。本発明の骨子を逸脱しない範囲で種々変形して実施することができる。
【符号の説明】
【００２８】
１  バスバ
２  電極接続部
３  電極挿通孔
４  連結部
５  スリット
６  バッテリセル
７  電極
４０  連結部分
【図１】
0005939706.tif 000002
【図２】
0005939706.tif 000003
【図３】
0005939706.tif 000004
【図４】
0005939706.tif 000005